(57)【要約】【課題】操作Ｐ板への水の浸入による操作スイッチの誤動作防止を備えた洗濯機の制御回路を実現すること。【解決手段】ＶＤＤから２つの分割抵抗の分圧による基準電圧を比較回路１０のマイナス入力に接続し、操作スイッチ５の出力を比較回路１０のプラス入力に接続した構成において、操作スイッチ５が押されるとＲ２抵抗の両端電圧が比較回路１０のプラス入力に入力されるように構成され、操作スイッチ５からの電圧値が比較回路１０における基準電圧値を超えた時に、操作スイッチ５が押されたときの信号をマイコン１に入力するように構成した比較回路１１の基準電圧値を操作スイッチ５の漏電抵抗値により発生する電圧値より高めに設定することで、洗濯機の誤動作を防止することができる。【選択図】図１
2013128524.tif 000002
【特許請求の範囲】
【請求項１】
操作用プリント基板に設けたれたマイコンのポートからスイッチをスキャンする信号がトランジスタのベース抵抗を通じて印加され、その信号によりＶＤＤの電源電圧は前記トランジスタをＯＮすることで操作スイッチに電圧が印加されるように構成し、前記操作スイッチと前記マイコンの間に比較回路を設け、前記ＶＤＤから２つの分割抵抗の分圧による基準電圧を前記比較回路のマイナス入力に接続し、前記操作スイッチの出力を前記比較回路のプラス入力に接続した構成において、前記操作スイッチが押されるとＲ２抵抗の両端電圧が前記比較回路のプラス入力に入力されるように構成され、前記操作スイッチからの電圧値が前記比較回路における基準電圧値を超えた時に、前記操作スイッチが押されたときの信号を前記マイコンに入力するように構成した洗濯機の制御回路。
【発明の詳細な説明】
【技術分野】
【０００１】
本発明は操作Ｐ板のスイッチ出力に比較回路を有した洗濯機の制御回路に関するものである。
【背景技術】
【０００２】
従来、操作用プリント基板（操作Ｐ板）に設けられている操作用スイッチは、スイッチを押すことによりマイコンに電源電圧ＶＤＤを印加して、スイッチが押されたことを知らせていた。
【０００３】
図２は一般的な洗濯機用の操作Ｐ板の操作用スイッチの回路構成を示したもので、以下その構成について説明する。マイコン１のＰＡポートからスイッチをスキャンする信号がＴＲ１トランジスタ４のＲ１ベース抵抗２を通じて印加され、その信号によりＶＤＤの電源電圧３はＴＲ１がＯＮすることでＳＷ１の操作スイッチ５に電圧が印加される。
【０００４】
操作スイッチ５を押すとＲ２抵抗６の両端電圧がマイコン１のＰ０１ポートに入力され、操作スイッチ５が押されたことをマイコン１が認識し、押された操作スイッチの内容にしたがって洗濯機の動作の制御を行なわれていた。
【先行技術文献】
【特許文献】
【０００５】
【特許文献１】実開昭５９−５８８１５号公報
【発明の概要】
【発明が解決しようとする課題】
【０００６】
しかしながら、このような従来の洗濯機の操作Ｐ板の操作用スイッチの回路構成では、水が操作Ｐ板に浸入した場合に操作スイッチＳＷ１に漏電抵抗Ｒ０が発生し、トランジスタＴＲ１から電圧が印加されると、漏電抵抗Ｒ０を通じてマイコン１の入力ポートＰ０１に電圧が印加されて操作スイッチＳＷ１が押されていないのにマイコンが操作スイッチが押されたと認識するため、洗濯機の誤動作が発生する。このように水が浸入しても誤動作が発生しないように操作Ｐ板を高価なポッティング材で覆い、水が浸入しても誤動作が生じないように構成されていた。
【０００７】
本発明は、上記従来の課題を解決するもので、高価なポッティング材を使用しなくても誤動作を防止できる手段を持つ、近年の低コスト化に対応した洗濯機を提供することを目的としている。
【課題を解決するための手段】
【０００８】
本発明は上記目的を達成するために、操作用プリント基板に設けたれたマイコンのポートからスイッチをスキャンする信号がトランジスタのベース抵抗を通じて印加され、その信号によりＶＤＤの電源電圧は前記トランジスタをＯＮすることで操作スイッチに電圧が印加されるように構成し、前記操作スイッチと前記マイコンの間に比較回路を設け、前記ＶＤＤから２つの分割抵抗の分圧による基準電圧を前記比較回路のマイナス入力に接続し、前記操作スイッチの出力を前記比較回路のプラス入力に接続した構成において、前記操作スイッチが押されるとＲ２抵抗の両端電圧が前記比較回路のプラス入力に入力されるように構成され、前記操作スイッチからの電圧値が前記比較回路における基準電圧値を超えた時に、前記操作スイッチが押されたときの信号を前記マイコンに入力するように構成した洗濯機である。
【０００９】
これにより、水の浸入により操作スイッチに漏電抵抗が発生した場合でも、比較回路により漏電抵抗による誤信号の判別が可能な洗濯機を提供することができる。
【発明の効果】
【００１０】
本発明の洗濯機は、高価なポッティング材で操作Ｐ板の防水処理を施さなくても、比較回路を設けることで誤動作を防止することが可能となり、低コストで安全な洗濯機を実現することができる。
【図面の簡単な説明】
【００１１】
【図１】本発明の実施の形態１の洗濯機の操作Ｐ板の操作スイッチ回路構成図
【図２】従来の操作Ｐ板の操作スイッチの回路構成図
【発明を実施するための形態】
【００１２】
第１の発明は、操作用プリント基板に設けたれたマイコンのポートからスイッチをスキャンする信号がトランジスタのベース抵抗を通じて印加され、その信号によりＶＤＤの電源電圧は前記トランジスタをＯＮすることで操作スイッチに電圧が印加されるように構成し、前記操作スイッチと前記マイコンの間に比較回路を設け、前記ＶＤＤから２つの分割抵抗の分圧による基準電圧を前記比較回路のマイナス入力に接続し、前記操作スイッチの出力を前記比較回路のプラス入力に接続した構成において、前記操作スイッチが押されるとＲ２抵抗の両端電圧が前記比較回路のプラス入力に入力されるように構成され、前記操作スイッチからの電圧値が前記比較回路における基準電圧値を超えた時に、前記操作スイッチが押されたときの信号を前記マイコンに入力するように構成したことにより、操作用Ｐ板に高価なポッティンング材で防水処理を施す必要がなくなり、低コストの操作Ｐ板を実現をすることができる。
【００１３】
以下、本発明の実施の形態について、図面を参照しながら説明する。なお、従来例と同じ構成のものは同一符号を付して説明を省略する。また、この実施の形態によって本発明が限定されるものではない。
【００１４】
（実施の形態１）
図１は本発明の実施の形態１における洗濯機の操作Ｐ板の操作スイッチの回路図である。
【００１５】
図１において、マイコン１のＰＡポートからスイッチをスキャンする信号がＴＲ１トランジスタ４のＲ１ベース抵抗２を通じて印加され、その信号によりＶＤＤの電源電圧３はＴＲ１がＯＮすることでＳＷ１の操作スイッチ５に電圧が印加される。
【００１６】
操作スイッチ５とマイコン１の間に比較回路１０を設け、３の電源電圧ＶＤＤからＲ３分割抵抗８とＲ４分割抵抗９の分圧による基準電圧Ｖｂを比較回路１０のマイナス入力に接続し、操作スイッチ５の出力を比較回路１０のプラス入力に接続して構成している。
【００１７】
操作スイッチ５を押すとＲ２抵抗６の両端電圧が比較回路１０のプラス入力に入力される。
【００１８】
例えば、図１の回路において水が浸入すると、操作スイッチ５に漏電電流が発生する。漏電電流によりＲ２抵抗６の両端には電圧Ｖｉｎが発生する。Ｖｉｎの電圧値はＲ０漏電抵抗７の値により異なる電圧値となる。
【００１９】
マイコン１のハイとロウの判別値は通常０．８×ＶＤＤ以上の入力ではハイレベルの動作となり、０．２×ＶＤＤ以下の入力ではロウレベルの動作となるが、０．８×ＶＤＤと０．２×ＶＤＤとの間の値は不定の領域でどちらの動作となるか不明となる。
【００２０】
この不定な領域で動作しないように、比較回路１０の基準電圧Ｖｂをマイコンのハイレベルの値の０．８×ＶＤＤ以上に設定することで、０．８×ＶＤＤと０．２×ＶＤＤとの間の不定な領域での電圧値ではマイコン１に信号が入力されなくなるため、Ｒ０漏電抵抗７によるリーク電流が発生しても、誤動作を未然に防止することができ、安全で低コストの洗濯機の制御回路を提供することができる。
【産業上の利用可能性】
【００２１】
以上のように、本発明にかかる洗濯機の操作Ｐ板の操作スイッチの回路構成は、操作Ｐ板のポッティング材等による防水処理をなくすことが可能となるので、低コストの洗濯機等の制御回路として有用である。
【符号の説明】
【００２２】
１    マイコン
２    Ｒ１ベース抵抗
３    電源電圧ＶＤＤ
４    ＴＲ１トランジスタ
５    操作スイッチ
７    Ｒ０漏電抵抗
８    Ｒ３分割抵抗
９    Ｒ４分割抵抗
１０  比較回路
【図１】
2013128524.tif 000003
【図２】
2013128524.tif 000004